(57)【要約】【課題】  吸盤の吸着力を強くするとともに、吸着操作を行いやすくした吸盤構造を提供することを目的とする。【解決手段】  皿形状の吸盤１と、吸盤の中央部から直角に伸びるスリーブ１３と、スリーブの先端に取り付けた押ボタン３と、吸盤を収納し、スリーブが通り抜ける開口部２２を有する取付本体２と、押ボタンと取付本体との間に介装されたコイルスプリング４と、からなる。押ボタンの外径を吸盤の外径より僅かに小さく形成し、押ボタンの外周に識別ライン３０を設け、識別ラインが非吸着時において取付本体から突出するようにした。【選択図】  図１
2006061653.tif 000002
【特許請求の範囲】
【請求項１】
皿形状の吸盤と、前記吸盤の中央部から直角に伸びるスリーブと、前記スリーブの先端に取り付けた押ボタンと、前記吸盤を収納し、前記スリーブが通り抜ける開口部を有する取付本体と、前記押ボタンと取付本体との間に介装されたコイルスプリングと、からなり、前記押ボタンの外径を前記吸盤の外径より僅かに小さく形成してなることを特徴とする、吸盤構造。
【請求項２】
請求項１に記載する吸盤構造において、前記押ボタンの外周に識別ラインを設け、該識別ラインが非吸着時において前記取付本体から突出するようにしたことを特徴とする、吸盤構造。
【発明の詳細な説明】
【技術分野】
【０００１】  本発明は、浴室、洗面所、キッチンなどの壁面に固定して日用の小物を載置収容させるための吸盤構造に関する。
【背景技術】
【０００２】  従来より、吸盤を使用した各種の装着装置が知られている（特許文献１、特許文献２）。
【特許文献１】  実開平６−４８４８２号
【特許文献２】  特開平１１−２９０５８５号
【発明の開示】
【発明が解決しようとする課題】
【０００３】  特許文献１に示す考案は、吸盤を壁面に押圧することで発生する吸着力により、小物整理棚などの物品支承体を壁面に固定するものである。
吸盤を壁面に押圧するだけで、物品支承体を好みの位置に固定することができるが、壁面への吸着力は、弾性部材からなる椀形状の吸盤の弾性復元力によるものであるため、吸着力が弱く、使用中に吸盤が壁面から落下しやすいという問題があった。
特許文献２に示す発明は、コイルスプリングの圧縮力を利用して吸盤を引っ張って大きな吸着力を発生するようにしたものであるが、押圧用のボタンが小さいため、コイルスプリングを圧縮したり、吸盤を押圧するために大きな力を必要とし、吸着操作が行いにくいものであった。【０００４】  本発明は、かかる問題点に鑑み、吸盤の吸着力を強くするとともに、吸着操作を行いやすくした吸盤構造を提供することを目的とする。
【課題を解決するための手段】
【０００５】  上記のような目的を達成するために、本発明の吸盤構造は、皿形状の吸盤と、前記吸盤の中央部から直角に伸びるスリーブと、前記スリーブの先端に取り付けた押ボタンと、前記吸盤を収納し、前記スリーブが通り抜ける開口部を有する取付本体と、前記押ボタンと取付本体との間に介装されたコイルスプリングと、からなり、前記押ボタンの外径を前記吸盤の外径より僅かに小さく形成してなることを特徴とするものである。
また、前記押ボタンの外周に識別ラインを設け、該識別ラインが非吸着時において前記取付本体から突出するようにしたことを特徴とするものである。【０００６】  上記課題解決手段による作用は、次のとおりである。
吸盤を壁面に押し当てながら、識別ラインが取付本体内に隠れるまで、押ボタンを押して、コイルスプリングを圧縮する。
押ボタンを押すことによってスリーブも押され、スリーブと一体の吸盤の中央部が壁面に向けて押し出され、吸盤内の空気を押し出しながら壁面に押圧されて、吸着する。
吸着されてからは、圧縮されたコイルスプリングの付勢力によって、吸盤の中央部は壁面から引き剥がされるようになり、吸盤と壁面との間に、強い吸着力を発生させる減圧空間が形成されることになる。
コイルスプリングが、常時、吸盤の中央を壁面から引き剥がす方向に付勢されているので、減圧空間は形成されたままとなる。
押ボタンを吸盤の外径より僅かに小さく形成したため、押ボタンが大きく、僅かな力で押すことができ、吸着操作がしやすい。
なお、使用中に識別ラインが取付本体から突出してきたら、押ボタンを押してコイルスプリングを圧縮し、再び強い吸着力を発生させる。
【発明の効果】
【０００７】  本発明の吸盤の装着構造は、以上説明したようになるから、次のような効果を得ることができる。
＜イ＞常時、コイルスプリングの付勢力で吸盤の中央が壁面から引き剥がされるように減圧空間が形成されるので、吸盤の吸着力がきわめて強いものとなる。
＜ロ＞押ボタンを吸盤の外径より僅かに小さく形成したため、押ボタンが大きく、僅かな力で押すことができ、吸着操作がしやすい。
＜ハ＞吸着状態を示す識別ラインを設けてあるので、常に吸着状態を確認できる。
【発明を実施するための最良の形態】
【０００８】  以下、図面を参照しながら、本発明に係る実施の形態について説明する。
図１は吸盤の一例を示す外観図である。図２は吸盤の装着状態を示す図で、（Ａ）は非吸着状態の断面図で、（Ｂ）は吸着状態の断面図である。図３は吸盤の外観図で、（Ａ）は非吸着状態を示す図で、（Ｂ）は吸着状態を示す図である。図４は吸盤を使用したタオル掛けの斜視図であり、図５は吸盤を用いた小物受けの斜視図である。【０００９】＜イ＞全体の構造（図１、図２、図３）
壁面Ｗに吸着される吸盤１、吸盤１を収納可能にした取付本体２、吸盤中央部１１から伸びるスリーブ１３、スリーブ１３が通り抜けるように取付本体２に設けた開口部２２、スリーブ１３の先端に取り付けた押ボタン３、押ボタン３と取付本体２との間に作用し、吸盤１を取付本体２に向けて付勢するコイルスプリング４とからなる。【００１０】  ＜ロ＞吸盤（図１、図２）
吸盤１は、例えばゴム、シリコン、軟質ポリ塩化ビニルなどの弾性材料からなり、自由状態（非吸着状態）で、中央部１１が周縁部１２よりもやゝ凹入した皿形状の吸着面１０を有するものである。
吸盤１の中央部１１から、スリーブ１３が直角に伸びている。
スリーブ１３は、例えば一端に平坦なフランジ１４を有しており、フランジ１４が吸盤中央部１１に埋設され、吸盤１と一体に結合している。
吸盤１の周縁部１２には、引き剥がし用のリップ１５が連設されている。【００１１】  ＜ハ＞取付本体（図１、図２）
取付本体２は、吸盤１を収納する椀状部２０と、スリーブ１３が通り抜ける開口部２２とからなる。
椀状部２０の中央に平坦面２１を形成するとともに、そこに開口部２２を設ける。
取付本体２は、例えば、アルミニューム、真鍮、銅等の金属や硬質塩化ビニル樹脂、ＡＢＳ樹脂等の合成樹脂などで構成する。
取付本体２の外周面の一部に取付片２３を設ける。
取付片２３は、タオル掛けなどを結合するためのもので、例えばヒンジを取り付けることができるように穴２４があけられている。【００１２】  ＜ニ＞押ボタン（図１、図２、図３）
スリーブ１３の先端に押ボタン３を取り付ける。
押ボタン３は、後述するようにコイルスプリング４を圧縮したり、吸盤１を壁面Ｗに向けて押圧するためのものである。
押ボタン３の外径を、吸盤１外径（周縁部１２外径）に比べて僅かに小さくなるように、例えば吸盤１外径の７０〜９０％の大きさに形成する。
押ボタン３の外周に識別ライン３０を設ける。
識別ライン３０は視覚的な指標であって、取付本体２と比較して対照的な色、例えば赤色を有する環状の輪である。
識別ライン３０は、吸盤１が非吸着状態のときは取付本体２から突出して表示できるようになっており（図３（Ａ）参照）、吸盤１が吸着状態のときは取付本体２内に隠れて表示することができないようになっている（図３（Ｂ）参照）。【００１３】  ＜ホ＞コイルスプリング（図２）
コイルスプリング４は、スリーブ１３の外周を取り囲むようにして、押ボタン３（裏面３１）と取付本体２（平坦面２１）との間に介装される。
コイルスプリング４は、吸盤中央部１１を壁面Ｗから引き剥がす方向に付勢するためのものである。【００１４】＜ホ＞作用
図２（Ａ）の状態は、吸盤１の非吸着状態を示しており、吸盤１はコイルスプリング４によって取付本体２へ向けて付勢されている。
吸盤１を吸着しようとする壁面Ｗに押し当てながら、識別ライン３０が取付本体２内に隠れるまで、押ボタン３を押してコイルスプリング４を圧縮する。
矢印ａ方向に押ボタン３を押すことによってスリーブ１３も押され、スリーブ１３と一体の吸盤中央部１１が壁面Ｗに向けて押し出され、吸盤１内の空気を押し出しながら壁面Ｗに押圧されて、吸盤１が吸着する（図２（Ｂ）参照）。
吸盤１に比較して押ボタン３がそれほど小さくないので、即ち、押ボタン３を大きく形成しているため、僅かな力でコイルスプリング４を圧縮し、吸盤１を押圧することができる。
吸着されてからは、圧縮されたコイルスプリング４の付勢力によって、吸盤中央部１１は壁面Ｗから引き剥がされるようになり、吸盤１と壁面Ｗとの間に、強い吸着力を発生させる減圧空間が形成されることになる。
コイルスプリング４が常時、吸盤中央部１１を壁面Ｗから引き剥がす方向に付勢されているので、この減圧空間は形成されたままとなり、弾性復元力に頼る従来の吸盤に比べて壁面に対する吸着がきわめて強固になる。【００１５】  時間とともに、吸盤１と壁面Ｗとの間のスペースへ空気が漏れると、コイルスプリング４は、押ボタン３を取付本体２から徐々に突き出し、識別ライン３０が露出されてくる。
これに気づいた場合、押ボタン３を押してコイルスプリング４を圧縮しながら、吸盤１と壁面Ｗとの間のスペースから空気を押し出し、再び強い吸着力を発生させる。
従来は、長い間使用していると吸盤が壁面から外れ易くなり、物品支承体が落下するなどの欠点があったが、本発明によれば、使用中に識別ライン３０が取付本体２から突出してきたら、押ボタン３を押せばよいので、これらの事故を未然に防ぐことができる。【００１６】  次に、この吸盤を用いた各種装置の例を説明するが、これに限定されるものではない。【００１７】＜ヘ＞タオル掛け（図４）
図４は、取付本体２の取付片２３にヒンジ５０を介してリング５１を回動自在に取り付けたタオル掛け５を示す。
押ボタン３とともに取付本体２を壁面Ｗに向けて押し、吸盤１を変形させて吸盤１内の空気を押し出して吸着する。
押ボタン３を大きく形成しているので、僅かな力で押すことができ、吸着操作が楽である。
圧縮されたコイルスプリング４により、吸盤中央部１１が取付本体２側に引き寄せられ、強力な吸着力が発生する。
これにより、タオル掛け５を壁面Ｗに強力に取り付けることができる。
タオル掛け５の取付状態から、リップ１５をつまみ上げ、空間内に空気を入れるだけでタオル掛け５を壁面Ｗから簡単に取り外すことができる。【００１８】＜ト＞小物受け（図５）
図５は、本発明の吸盤１を用いた小物受け６の例を示す。
取付部材２の一部に、略楕円形状の受皿６０を連設する。
受皿６０には、水切り用の溝６１を適当数設けておく。
受皿６０に石鹸やたわし等の小物を載置することができ、前述のタオル掛け５と同様に押ボタン３を押すだけで、簡単に壁面Ｗへ装着することができる。
本発明の吸盤構造によれば、押ボタン３を大きく形成しているので、僅かな力でコイルスプリング４を圧縮できるとともに、吸盤１を変形することができ、吸着操作が容易である。
また、吸盤中央部１１を取付本体２に引き寄せ、吸盤中央部１１と壁面Ｗとの間に機械的に減圧空間を形成して、吸盤１に強力な吸着力を発生させるのであり、しかもリップ１５をつまみ上げ、減圧空間を破壊することで、簡単に取り外すことができるものであって、その利用価値はきわめて高い。
【図面の簡単な説明】
【００１９】
【図１】吸盤の一例を示す外観図。
【図２】吸盤の装着状態を示す図で、（Ａ）は非吸着状態の断面図で、（Ｂ）は吸着状態の断面図。
【図３】吸盤の外観図で、（Ａ）は非吸着状態を示す図で、（Ｂ）は吸着状態を示す図。
【図４】吸盤を使用したタオル掛けの斜視図。
【図５】両端に吸盤を用いた小物受けの斜視図。
【符号の説明】
【００２０】１・・・・吸盤
１０・・・吸着面
１３・・・スリーブ
２・・・・取付本体
２０・・・椀状部
２１・・・平坦面
２２・・・開口部
３・・・・押ボタン
３０・・・識別ライン
４・・・・コイルスプリング
５・・・・タオル掛け
６・・・・小物受け
Ｗ・・・・壁面
【図１】
2006061653.tif 000003
【図２】
2006061653.tif 000004
【図３】
2006061653.tif 000005
【図４】
2006061653.tif 000006
【図５】
2006061653.tif 000007